(57)【要約】【課題】満水に近い状態でも排水枝管接続口の相互の通気を確保し、逃げ場を失った空気によって水の流れが悪くなったりゴボゴボと不快な音が発生するのを防止できる排水ヘッダーを提供する。【解決手段】側面に排水枝管接続口１２ａを有する複数のヘッダー用継手１２を一列に並べて接続した排水ヘッダーにおいて、各ヘッダー用継手１２の内面の頂部１ｆと排水枝管接続口１２ａの奥端部内面の頂部１２ｂを実質的に同一の高さにすることにより、排水枝管接続口の相互の通気を確保する。【選択図】  図３
2004211318.tif 000002
【特許請求の範囲】
【請求項１】
両端に挿口と受口を有し且つ側面に排水枝管接続口を有する複数のヘッダー用継手を一列に並べて、それぞれのヘッダー用継手の挿口を隣りのヘッダー用継手の受口に挿入することによりヘッダー用継手を互いに接続すると共に、上流側端部に位置するヘッダー用継手に、排水主管接続口を有するか又は有しない端部閉塞材を接続し、下流側端部に位置するヘッダー用継手に、排水主管接続口を有する端部閉塞材を接続して成る排水ヘッダーであって、
上記ヘッダー用継手の内面の頂部と上記排水枝管接続口の奥端部内面の頂部を実質的に同一の高さにしたことを特徴とする排水ヘッダー。
【請求項２】
上記ヘッダー用継手の少なくとも一つが、他のヘッダー用継手の排水枝管接続口よりも口径が大きい排水枝管接続口を有するものであり、その口径が大きい排水枝管接続口に、他のヘッダー用継手の排水枝管接続口と同じ口径の内筒を外筒の内側に偏心させて形成した偏心ブッシングが脱着自在に嵌込まれている請求項１に記載の排水ヘッダー。
【請求項３】
上流側端部に位置するヘッダー用継手に接続された上記端部閉塞材が、該ヘッダー用継手の受口に挿入される挿口と、この挿口の上流側に突設された排水主管接続口と、この排水主管接続口の奥端部の下半部から斜め下方に傾斜して下流側に突設された舌片とを備え、排水主管接続口の奥端部内面の頂部と挿口の内面の頂部が実質的に同一の高さになっている請求項１に記載の排水ヘッダー。
【請求項４】
下流側端部に位置するヘッダー用継手に接続された上記端部閉塞材が、該ヘッダー用継手の挿口が挿入される受口と、この受口の下流側に形成された排水主管接続口と、これらの受口と排水主管接続口を連結する上半部が略ベルマウス形状の連結筒とを備え、排水主管接続口の内底部と受口の内底部が実質的に同一の高さになっている請求項１に記載の排水ヘッダー。
【発明の詳細な説明】
【０００１】
【発明の属する技術分野】
本発明は、浴室、洗面台、台所等からの各排水を合流させて屋外に排水する排水ヘッダーに関する。
【０００２】
【従来の技術】
近年、床下に排水ヘッダーを設置し、この排水ヘッダーに浴室、洗面台、台所等からの排水枝管を接続して各排水を合流させ、家屋の基礎コンクリートに埋設した基礎貫通部材に排水ヘッダーからの排水主管を接続して屋外に排水するようにした排水システムが提案されている。このような排水システムを採用すると、屋外に設置する排水桝の個数を従来の半数以下に削減して大幅なコストダウンと屋外の美観の向上を図ることができるため、今後、急激に普及するものと思われる。
【０００３】
上記の排水システムに使用される排水ヘッダーとしては、例えば図９に示すような構造のものが知られている。この排水ヘッダーは、両端にフランジ１０１を有し且つ側面に排水枝管の接続口１０２を有する複数のヘッダー用継手１０３を一列に並べ、互いに隣接するヘッダー用継手１０３のフランジ１０１同士をボルト・ナット１０４で結合して接続すると共に、排水主管１０５ａ，１０５ｂの接続口１０６ａ，１０６ｂを有する端部閉塞材１０７ａ，１０７ｂのそれぞれのフランジ１０１を上記と同様にボルト・ナット１０４で結合して、ヘッダー両端に端部閉塞材１０７ａ，１０７ｂを取付けたものである。
【０００４】
【発明が解決しようとする課題】
しかしながら、上記の排水ヘッダーは、流入水が排水枝管の接続口１０２から逆流するのを防ぐために、該接続口１０２をヘッダー用継手１０３の側面上部に形成しているとは言うものの、該接続口１０２の内面の頂部がヘッダー用継手１０３の内面の頂部よりも低い位置にあるため、流入水でヘッダー内部が満水状態に近くなると、排水枝管の接続口１０２と接続口１０２、或は、上流側排水主管の接続口１０６ａと排水枝管の接続口１０２とが、相互に通気できない状態となる。そのため、接続口１０６ａ，１０２からの流入水に含まれる空気の抜けるところがなくなり、ヘッダー内部が正圧状態になってトラップの封水が飛び出したり、逃げ場を失って水と一緒に流れる空気によって水の流れが悪くなったりゴボゴボと音が発生するなどの問題があった。
【０００５】
また、前記の排水ヘッダーは、排水枝管の接続口１０２が全て同一口径で同じ高さに設けられているため、例えば、特定のユニットバスのように排水口が極端に低く、該排水口からの排水枝管の配管高さが非常に低い場合には、この排水枝管を接続口１０２に接続できないことがあり、また、排水流量が多いトイレ等からの排水枝管として太いものを使用した場合にも接続できないという問題があった。
【０００６】
更に、上流側排水主管１０５ａへの逆流を防止するために、図９に示すように上流側排水主管１０５ａの接続口１０６ａを上方に偏位させて形成すると、上流側端部に位置するヘッダー用継手１０３の底部に固形物Ｓが滞溜するという問題があり、特に、内部点検を容易にするためにヘッダー用継手１０３や端部閉塞材１０７ａ，１０７ｂを透明樹脂等で成形する場合は、固形物Ｓが良く目立って不潔感を与えるという問題があった。
【０００７】
本発明は、これらの問題を解決できるように改良した排水ヘッダーを提供することを目的としている。
【０００８】
【課題を解決するための手段】
上記目的を達成するため、本発明の排水ヘッダーは、両端に挿口と受口を有し且つ側面に排水枝管接続口を有する複数のヘッダー用継手を一列に並べて、それぞれのヘッダー用継手の挿口を隣りのヘッダー用継手の受口に挿入することによりヘッダー用継手を互いに接続すると共に、上流側端部に位置するヘッダー用継手に、排水主管接続口を有するか又は有しない端部閉塞材を接続し、下流側端部に位置するヘッダー用継手に、排水主管接続口を有する端部閉塞材を接続して成る排水ヘッダーであって、上記ヘッダー用継手の内面の頂部と上記排水枝管接続口の奥端部内面の頂部を実質的に同一の高さにしたことを特徴とするものである。
【０００９】
本発明の排水ヘッダーのように、ヘッダー用継手の内面の頂部と排水枝管接続口の奥端部内面の頂部が実質的に同一の高さであると、ヘッダー内部が満水状態に近くなっても、ヘッダー内部の上端部（天面付近）には常に空間部が残っており、この空間部を通じて、排水枝管接続口と排水枝管接続口、或は、上流側の排水主管接続口と排水枝管接続口とが、相互に通気できる状態となる。従って、排水枝管接続口や上流側の排水主管接続口から流入する排水に含まれている空気は他の排水枝管接続口などに逃げ出し、ヘッダー内部が実質的に正圧状態にならないため、トラップの封水が飛び出したり、逃げ場を失った空気によって水の流れが悪くなったり、ゴボゴボと音が発生するなどの問題を解決することができる。
【００１０】
本発明の排水ヘッダーでは、ヘッダー用継手の少なくとも一つが、他のヘッダー用継手の排水枝管接続口よりも口径が大きい排水枝管接続口を有するものであり、その口径が大きい排水枝管接続口に、他のヘッダー用継手の排水枝管接続口と同じ口径の内筒を外筒の内側に偏心させて形成した偏心ブッシングが脱着自在に嵌込まれていることが望ましい。
【００１１】
このような構成の排水ヘッダーは、偏心ブッシングを回すことによって内筒の高さを排水枝管の高さに合わせることができるため、上述した特定のユニットバスのように排水口からの排水枝管の配管高さが低い場合でも、偏心ブッシングの内筒に接続することができる。また、この偏心ブッシングを外せば、太い排水枝管の接続も可能であるため、排水量の多いトイレ等からの排水枝管として太いものを使用して接続することができる。
【００１２】
また、本発明の排水ヘッダーでは、上流側端部に位置するヘッダー用継手に接続された上記端部閉塞材が、該ヘッダー用継手の受口に挿入される挿口と、この挿口の上流側に突設された排水主管接続口と、この排水主管接続口の奥端部の下半部から斜め下方に傾斜して下流側に突設された舌片とを備え、排水主管接続口の奥端部内面の頂部と挿口の内面の頂部が実質的に同一の高さになっていることが望ましい。
【００１３】
このような構成の排水ヘッダーは、上流側の排水主管接続口に接続された排水主管から流れ込んだ排水が舌片の上をスムーズに流れ落ちるため、排水中に含まれている固形物が上流側端部のヘッダー用継手の底部に滞溜しなくなる。従って、ヘッダー用継手や端部閉塞材を透明樹脂等で成形しても、不潔感を与えることはない。
【００１４】
また、本発明の排水ヘッダーでは、下流側端部に位置するヘッダー用継手に接続された上記端部閉塞材が、該ヘッダー用継手の挿口が挿入される受口と、この受口の下流側に形成された排水主管接続口と、これらの受口と排水主管接続口を連結する上半部が略ベルマウス形状の連結筒とを備え、排水主管接続口の内底部と受口の内底部が実質的に同一の高さになっていることが望ましい。
【００１５】
このような構成の排水ヘッダーは、連結筒が略ベルマウス形状の上半部を有するため、排水主管接続口の入口損失係数が小さくなり、排水ヘッダー内部の排水をスムーズに下流側排水主管へ送り出すことができる。
【００１６】
【発明の実施の形態】
以下、図面を参照して本発明の具体的な実施形態を詳述する。
【００１７】
図１は本発明の一実施形態に係る排水ヘッダーの斜視図、図２はキャップを分離して示す同排水ヘッダーの一つのヘッダー用継手の側面図、図３は図２のＡ−Ａ線断面図、図４は図３のＢ−Ｂ線断面図、図５は同排水ヘッダーの上流側端部の断面図、図６は同排水ヘッダーの上流側の端部閉塞材の側面図、図７は同排水ヘッダーの下流側端部の断面図、図８は同排水ヘッダーのもう一つのヘッダー用継手を示す横断面図である。
【００１８】
この排水ヘッダーは、図１に示すように、複数（図例では三つ）のヘッダー用継手１１，１２，１２を一列に並べて接続すると共に、上流側端部および下流側端部に位置するヘッダー用継手１１，１２に端部閉塞材２，３をそれぞれ接続したものである。
【００１９】
ヘッダー用継手１１，１２はポリ塩化ビニル等の合成樹脂を射出成形したものであって、図３に示すような略卵形管状に成形され、その底部の曲率半径が１００ｍｍに設定されているため、排水の流れが良好である。材料の合成樹脂は、不透明な配合のものを使用してもよいが、顔料を含まない無色透明のものや有色透明の配合のものを使用して、ヘッダー用継手１の内部を透視できるようにすることが、点検作業やメンテナンスの観点から望ましい。
【００２０】
ヘッダー用継手１１とヘッダー用継手１２は、その側面から突設された排水枝管接続口の口径が異なり、ヘッダー用継手１１の排水枝管接続口１１ａの口径は５０ｍｍ、ヘッダー用継手１２の排水枝管接続口１２ａの口径は７５ｍｍとされている。それ以外の構成は、双方の継手１１，１２とも同一である。
【００２１】
図２〜図４に示すように、ヘッダー用継手１２は、その一端（上流側端）に受口１ｂが形成されており、他端(下流側端)には該受口１ｂに挿入される挿口１ｃが形成されている。また、このヘッダー用継手１２の上面中央部には点検口１ｄが形成されており、この点検口１ｄにはキャップ１ｅが螺合されて開閉自在に取付けられている。従って、このキャップ１ｅを外せば、ヘッダー用継手１２の内部清掃を簡単に行うことができるようになっている。
【００２２】
このヘッダー用継手１２の排水枝管接続口１２ａは、上記のように７５ｍｍの大きい口径を有するもので、ヘッダー用継手１２の側面の上部から水平もしくは排水枝管の流れ勾配に等しい角度（１〜２°）で突設されている。そして、図３に示すように、この排水枝管接続口１２ａの奥端部内面の頂部１２ｂとヘッダー用継手１２の内面の頂部１ｆは実質的に同一の高さとされており、排水ヘッダー内部が実質的に満水状態になった場合でも、ヘッダー用継手１２の天面付近には常に空間部（空気層）が残存して、該空間部と排水枝管接続口１２ａの内部上端の空間部とが連通するようになっている。
【００２３】
もう一つのヘッダー用継手１１も、排水枝管接続口１１ａの口径が異なる以外は、上記のヘッダー用継手１２と同様に構成されており、図８に示すように、排水枝管接続口１１ａの奥端部内面の頂部１１ｂとヘッダー用継手１１の内面の頂部１ｆが実質的に同一の高さになっている。従って、このヘッダー用継手も、実質的な満水時にヘッダー用継手１１の天面付近に空間部（空気層）が残存し、この空間部と排水枝管接続口１１ａの内部上端の空間部とが連通するようになっている。
【００２４】
ヘッダー用継手１２の排水枝管接続口１２ａの内部には、図２に示すように合成樹脂製の偏心ブッシング４が脱着自在に嵌込まれている。この偏心ブッシング４は、図２、図３に示すように、排水枝管接続口１２ａに内嵌される外筒４ａの内側に内接状態となるように内筒４ｂを偏心させて形成すると共に、外筒４ａと内筒４ｂの隙間を奥壁４ｃにより閉塞したものであって、内筒４ｃの口径はヘッダー用継手１１の排水枝管接続口１１ａと同じ５０ｍｍとされている。このような偏心ブッシング４が排水枝管接続口１２ａに嵌込まれていると、偏心ブッシング４を回すことによって内筒４ｂの高さを排水枝管接続口１２ａの範囲内で調節できるため、排水枝管の配管高さが低い場合でも接続可能となる。そして、図１に示す排水ヘッダーの中央のヘッダー用継手１２のように、排水枝管接続口１２ａから偏心ブッシング４を取り除くと、管径が７５ｍｍと太い排水枝管の接続が可能となるため、排水量の多いトイレ等からの排水枝管として管径が７５ｍｍの太いものを使用できるようになる。
【００２５】
なお、図１，図２，図４等において、１ｇ，１ｈは、接続されたヘッダー用継手１１，１２，１２の相対的な回動を阻止する凸部と突片であって、凸部１ｇは各ヘッダー用継手の挿口１ｃの基端部の両側外面に周方向上下に小間隔をあけて一対ずつ形成されており、突片１ｈは各ヘッダー用継手の受口１ｂの先端の両側から突設されている。このような凸部１ｇと突片１ｈが形成されていると、挿口１ｃを受口１ｂに挿入したとき、図１に示すように突片１ｈが上下の凸部１ｇ，１ｇの間に嵌まり込んで、挿口１ｃと受口１ｂとの相対的な回動が阻止されるため、ヘッダー用継手１１，１２，１２を捻じれないように直立姿勢を保って接続することができる。また、図１，図２，図４等において、１ｉは排水ヘッダーの固定具の支持ベルトを嵌込む浅い凹溝である。
【００２６】
この排水ヘッダーの上流側端部のヘッダー用継手１１に接続される合成樹脂製の端部閉塞材２は、図５，図６に示すように、該ヘッダー用継手１１の受口１ｂに挿入される挿口２ａと、この挿口２ａの上流側に突設された排水主管接続口２ｂと、この排水主管接続口２ｂの奥端部の下半部から斜め下方に傾斜して下流側に突設された舌片２ｃとを備えたもので、排水主管接続口２ｂの奥端部内面の頂部２ｄと挿口２ａの内面の頂部が実質的に同一の高さとなるように、排水主管接続口２ｂが上方へ偏位して形成されている。従って、この端部閉塞材２も、排水ヘッダー内部が満水状態に近いときに、排水ヘッダーの天面近くの空間部（空気層）と、端部閉塞材２の内部上端の空間部が連通するようになっている。
【００２７】
この端部閉塞材２の挿口２ａをヘッダー用継手１１の受口１ｂに挿入して接続すると共に、該端部閉塞材２の受口２ｂに上流側排水主管５ａを接続すると、上流側排水主管５ａから流れ込んだ排水が舌片２ｃの上をスムーズに流れ落ちるため、排水中に含まれている固形物が上流側端部のヘッダー用継手１１の底部に滞溜しなくなる。従って、ヘッダー用継手１１，１２や端部閉塞材２，３を透明樹脂で成形した場合でも、不潔感を与えることはない。
【００２８】
一方、この排水ヘッダーの下流側端部のヘッダー用継手１２に接続される合成樹脂製の端部閉塞材３は、図７に示すように、ヘッダー用継手１２の挿口１ｃが挿入される受口３ａと、この受口３ａより下流側に形成された下流側排水主管４ｂの接続口３ｂと、これらの受口３ａと接続口３ｂを連結する上半部が略ベルマウス形状の連結筒３ｃとを備えたもので、接続口３ｂの内底部と受口３ａの内底部が実質的に同じ高さとなるように、接続口３ｂが下方に偏位して形成されている。
【００２９】
この端部閉塞材３の受口３ａに下流側端部のヘッダー用継手１２の挿口１ｃを挿入して該端部閉塞材３とヘッダー用継手１２を接続すると共に、該端部閉塞材３の接続口３ｂに下流側排水主管５ｂを接続すると、該端部閉塞材３の連結筒３ｃが略ベルマウス形状の上半部を有するため、接続口３ｂの入口損失係数が小さくなって、排水ヘッダー内部の排水をスムーズに下流側排水主管５ｂへ送り出すことが可能となる。
【００３０】
上記のごとき構成の排水ヘッダーは、その両端部をヘッダー固定具（不図示）で支えることによって家屋の床下に設置され、上流側の端部閉塞材２の接続口２ｂと下流側の端部閉塞材３の接続口３ｂに、上流側と下流側の排水主管５ａ，５ｂがそれぞれ接続される。そして、ヘッダー用継手１１の口径５０ｍｍの排水枝管接続口１１ａには、台所等からの管径５０ｍｍの排水枝管が接続され、偏心ブッシングを取り除いた中央のヘッダー用継手１２の口径７５ｍｍの排水枝管接続口１２ａには、トイレ等からの管径７５ｍｍの太い排水枝管が接続され、下流側端部のヘッダー用継手１２の偏心ブッシング４の内筒４ｂには、浴室等からの配管高さが低い管径５０ｍｍの排水枝管が接続される。
【００３１】
このように排水ヘッダーを設置して配管を行うと、浴室、洗面台、台所、トイレ等からの排水が排水ヘッダーに集められ、下流側排水主管５ｂを通じて屋外へ排出されるが、その場合、排水ヘッダー内部が排水で実質的に満水状態になったとしても、既述したように、ヘッダー内部の上端部（天面付近）には常に空間部（空気層）が残っており、この空間部を通じて、排水枝管接続口１１ａ，１２ａ同士、或は、上流側の排水主管接続口２ｂと排水枝管接続口１１ａ，１２ａとが、相互に通気できる状態となっている。従って、排水枝管接続口１１ａ，１２ａや上流側の排水主管接続口２ｂから流入する排水に含まれている空気は、他の排水枝管接続口１１ａ，１２ａなどに逃げ出し、ヘッダー内部が実質的に正圧状態にならないため、トラップの封水が飛び出したり、逃げ場を失った空気によって水の流れが悪くなったり、ゴボゴボと音が発生するのを、充分防止できるようになる。
【００３２】
また、この排水ヘッダーは、排水枝管の配管高さが低い場合でも偏心ブッシング４で高さを合わせて接続することができ、偏心ブッシング４を外せば、管径が７５ｍｍと太い排水枝管も接続できるので、施工性が良好である。そして、上流側の端部閉塞材２の舌片２ｃによって固形物の滞溜を防止でき、また、下流側端部閉塞材３の排水主管接続口３ｂの入口損失係数が小さいので、排水ヘッダーに集めた排水をスムーズに排出することができる。
【００３３】
以上の説明において、ヘッダー用継手の挿口１ｃと受口１ｂとの接続、端部閉塞材２の挿口２ａとヘッダー用継手１１の受口１ｂとの接続、端部閉塞部材３の受口３ａとヘッダー用継手１２の挿口との接続、排水枝管接続口１１ａ，１２ａと排水枝管との接続、排水枝管１２ａと偏心ブッシング４との接続、偏心ブッシング４の内筒４ｂと排水枝管との接続は、いずれも溶剤系の接着剤を塗布して水密的に行われることは言うまでもない。
【００３４】
上述した実施形態の排水ヘッダーは、排水管路の途中に設置するものであるため、排水主管５ａの接続口２ｂを有する端部閉塞材２を、排水ヘッダーの上流側端部のヘッダー用継手１１に接続しているが、起点用の排水ヘッダーとして床下に設置する場合は、排水主管５ａの接続口２ｂがない端部閉塞材２を上流側端部のヘッダー用継手１１に接続すればよい。
【００３５】
なお、本発明の排水ヘッダーにおいては、ヘッダー用継手の接続個数や、口径の異なるヘッダー用継手の組合わせ方、排水枝管接続口や偏心ブッシングの内筒の口径などを適宜変更できることは言うまでもない。
【００３６】
【発明の効果】
以上の説明から明らかなように、本発明の排水ヘッダーは、実質的に満水状態にちかい場合でも、排水枝管接続口と排水枝管接続口、或は、上流側の排水主管接続口と排水枝管接続口とが、相互に通気できる状態となり、ヘッダー内部が実質的に正圧状態にならないため、トラップの封水が飛び出したり、逃げ場を失った空気によって水の流れが悪くなったり、ゴボゴボと音が発生するのを防止することができる。そして、排水枝管の配管高さが低い場合でも偏心ブッシングで高さを合わせて接続することができ、偏心ブッシングを外せば管径の太い排水枝管も接続できるので、施工性が良好である。しかも、上流側の端部閉塞材の舌片によって固形物の滞溜を防止でき、また、下流側端部閉塞材の排水主管接続口の入口損失係数が小さいので、排水ヘッダーに集めた排水をスムーズに排出することもできるなど、多くの顕著な効果を奏する。
【図面の簡単な説明】
【図１】本発明の一実施形態に係る排水ヘッダーの斜視図である。
【図２】キャップを分離して示す同排水ヘッダーの一つのヘッダー用継手の側面図である。
【図３】図２のＡ−Ａ線断面図である。
【図４】図３のＢ−Ｂ線断面図である。
【図５】同排水ヘッダーの上流側端部の断面図である。
【図６】同排水ヘッダーの上流側の端部閉塞材の側面図である。
【図７】同排水ヘッダーの下流側端部の断面図である。
【図８】同排水ヘッダーのもう一つのヘッダー用継手を示す横断面図である。
【図９】従来公知の排水ヘッダーを示す一部破断側面図である。
【符号の説明】
１１，１２  ヘッダー用継手
１１ａ，１２ａ  排水枝管接続口
１１ｂ，１２ｂ  排水枝管接続口の奥端部内面の頂部
１ｂ  ヘッダー用継手の受口
１ｃ  ヘッダー用継手の挿口
１ｆ  ヘッダー用継手の内面の頂部
２  上流側の端部閉塞材
２ａ  端部閉塞材の挿口
２ｂ  上流側の排水主管接続口
２ｃ  舌片
２ｄ  端部閉塞材の挿口の奥端部内面の頂部
３  下流側の端部閉塞材
３ａ  端部閉塞材の受口
３ｂ  下流側の排水主管接続口
３ｃ  上半部が略ベルマウス形状の連結筒
４  偏心ブッシング
４ａ  偏心ブッシングの外筒
４ｂ  偏心ブッシングの内筒
５ａ  上流側の排水主管
５ｂ  下流側の排水主管
【図１】
2004211318.tif 000003
【図２】
2004211318.tif 000004
【図３】
2004211318.tif 000005
【図４】
2004211318.tif 000006
【図５】
2004211318.tif 000007
【図６】
2004211318.tif 000008
【図７】
2004211318.tif 000009
【図８】
2004211318.tif 000010
【図９】
2004211318.tif 000011